(57)【要約】【課題】交流線の上流側に別の電源装置が接続されていても、その別の電源装置が、逆潮流状態が発生したと判定しないような分散型電源システムを提供する。【解決手段】第１電圧線２ａ及び第２電圧線２ｂと中性線２ｃとを有する単相３線式の交流線２と、交流線２に対して第１接続箇所Ｐ２で接続される第１電源装置２０と、交流線２の第１接続箇所Ｐ２に接続される電力負荷装置３とを備える分散型電源システムであって、交流線２に対する電力系統１の接続箇所から見て下流側に向かう電力を正の電力と見なすとき、第１電源装置２０は、第１電圧線２ａを通って交流線２に対する電力系統１の接続箇所側から第１接続箇所Ｐ２へ向かう電力、及び、第２電圧線２ｂを通って交流線２に対する電力系統１の接続箇所側から第１接続箇所Ｐ２へ向かう電力の両方が負の電力とはならないように、第１電圧線２ａ及び第２電圧線２ｂに対して電力を供給する。【選択図】図２
2019092332.tif 000002
【特許請求の範囲】
【請求項１】
電力系統に接続される、第１電圧線及び第２電圧線と中性線とを有する単相３線式の交流線と、
前記交流線に対して第１接続箇所で接続される第１電源装置と、
前記交流線の前記第１接続箇所に接続される電力負荷装置とを備える分散型電源システムであって、
前記交流線に対する前記電力系統の接続箇所から見て下流側に向かう電力を正の電力と見なすとき、
前記第１電源装置は、前記第１電圧線を通って前記交流線に対する前記電力系統の接続箇所側から前記第１接続箇所へ向かう電力、及び、前記第２電圧線を通って前記交流線に対する前記電力系統の接続箇所側から前記第１接続箇所へ向かう電力の両方が負の電力とはならないように、前記第１電圧線及び前記第２電圧線に対して電力を供給する分散型電源システム。
【請求項２】
前記第１電源装置は、前記第１電圧線を通って前記交流線に対する前記電力系統の接続箇所側から前記第１接続箇所へ向かう電力及び前記第２電圧線を通って前記交流線に対する前記電力系統の接続箇所側から前記第１接続箇所へ向かう電力の両方が負の電力とはならないように、前記第１電圧線及び前記第２電圧線に対して同一の電力を供給する請求項１に記載の分散型電源システム。
【請求項３】
前記交流線に対して第２接続箇所で接続される第２電源装置を備え、
前記交流線に対する前記電力系統の接続箇所から見て下流側に向かって前記第２接続箇所と前記第１接続箇所とがその並び順で設けられており、
前記第２電源装置は、自身が前記交流線への出力停止中のとき、前記電力系統側から前記第２接続箇所へ向かう電力について、前記第１電圧線及び前記第２電圧線の何れかが逆潮流状態になっていれば異常と判断するように構成されている請求項１又は２に記載の分散型電源システム。
【請求項４】
前記第２電源装置は、前記交流線に接続され、発電部及び前記発電部の動作を制御する発電制御部を有し、
前記第１電源装置は、前記交流線に接続され、前記交流線との間での電力の充放電を行う充放電部及び前記充放電部の動作を制御する充放電制御部を有する請求項３に記載の分散型電源システム。
【請求項５】
前記第１電源装置が前記交流線から受け取る受取電力として、前記第１電源装置による前記交流線からの充電電力を正の受取電力と見なし、前記第１電源装置による前記交流線への放電電力を負の受取電力と見なしたとき、
前記第２電源装置の前記発電制御部は、前記電力負荷装置が前記交流線から受け取る消費電力と前記第１電源装置が前記交流線から受け取る受取電力との和に見合った電力を前記第２電源装置から前記交流線に提供するように、所定の最小提供電力と最大提供電力との間の範囲内で前記第２電源装置から前記交流線への提供電力を制御し、
前記第１電源装置の前記充放電制御部は、前記電力負荷装置が前記交流線から受け取る消費電力と、前記第１電源装置が前記交流線から受け取る受取電力との和が所定の目標電力になるように、前記第１電源装置が前記交流線から受け取る受取電力を制御する請求項４に記載の分散型電源システム。
【発明の詳細な説明】
【技術分野】
【０００１】
本発明は、電力系統に接続される、第１電圧線及び第２電圧線と中性線とを有する単相３線式の交流線と、交流線に対して第１接続箇所で接続される第１電源装置と、交流線の第１接続箇所に接続される電力負荷装置とを備える分散型電源システムに関する。
【背景技術】
【０００２】
燃料電池や充放電装置などの電源装置を電力系統に連系するとき、電源装置から電力系統への電力の逆潮流を防止するなどの目的で、電源装置及び電力負荷装置が接続されている交流線の所定部位でどれだけの電力が行き来しているかを測定することが行われる。例えば、電源装置が、電力系統に接続される、第１電圧線及び第２電圧線と中性線とを有する単相３線式の交流線に接続されている場合、計器用変流器などを利用した電力計測器を用いて、第１電圧線及び第２電圧線のそれぞれで電力が計測される。そして、各電源装置は、電力計測器で測定された第１電圧線及び第２電圧線の合計の電力に基づいて、例えば電力系統への電力の逆潮流が発生しないように、自身の出力電力を制御する。
【０００３】
電源装置が設けられていない場合、電力系統から電力負荷装置に対して電力が供給されるだけなので、第１電圧線及び第２電圧線で計測される電力は、必ず正の電力になる。それに対して、電源装置が設けられている場合、電源装置から電力出力が行われていれば、第１電圧線及び第２電圧線の何れかで電力が負の値（逆潮流）になる可能性はある。但し、各電源装置は、第１電圧線及び第２電圧線の合計の電力が負の値になっていなければ、そのような状態を許容する。
【０００４】
尚、電力計測器の取り付けに誤りがあった場合、電力を正確に測定できないという問題がある。例えば、電力の正負を逆に測定してしまう可能性があり、その場合には電力系統への電力の逆潮流が実際には発生しているのに、逆潮流が発生していないと判断する可能性がある。
そのため、特許文献１には、電力計測器による電力の検出結果が誤っている場合に、その検出結果が誤っていることを認識することができるシステムが記載されている。具体的には、特許文献１に記載のシステムでは、電源装置が接続されている交流線の各相での電力を測定するだけでなく、少なくとも一つの相での電源装置から交流線への出力電力も測定している。その結果、各相での供給電力及び負荷電力の合計値を導出でき、その合計値が０Ｗになっていない場合には、電力計測器の取り付けに誤りがあると判断できる。
【０００５】
その他、特許文献２には、電源装置が、自身が動作停止中に第１電圧線及び第２電圧線での電力を計測し、第１電圧線及び第２電圧線の何れかが逆潮流状態になっていれば、異常（電力計測器の取り付けに誤りがある）と判断するような構成が記載されている。
【先行技術文献】
【特許文献】
【０００６】
【特許文献１】特開２０１５−１００２１２号公報
【特許文献２】特許第４４８４３８６公報
【発明の概要】
【発明が解決しようとする課題】
【０００７】
特許文献１に記載のシステムでは、電源装置が接続されている交流線での電力を測定する電力計測器だけでなく、電源装置から交流線への出力電力を測定する電力計測器も必要になる。つまり、システムのコストが増大するという問題がある。
【０００８】
また、特許文献２に記載されているように、電源装置が、自身が動作停止中に第１電圧線及び第２電圧線の何れかが逆潮流状態になっていれば異常（電力計測器の取り付けに誤りがある）と判断するような構成になっている場合、他の電源装置が設置されていると、電力計測器の取り付けが正しくても、第１電圧線及び第２電圧線の何れかでの逆潮流状態を検出することもある。そのような例について以下に説明する。
【０００９】
図１に示すのは、分散型電源システムの構成例を示す図である。図示するように、この分散型電源システムは、電力系統１に接続される、第１電圧線２ａ及び第２電圧線２ｂと中性線２ｃとを有する単相３線式の交流線２と、交流線２に対して第２接続箇所Ｐ１で接続される発電装置１０と、交流線２に対して第１接続箇所Ｐ２で接続される充放電装置２０と、交流線２の第１接続箇所Ｐ２に接続される電力負荷装置３とを備え、交流線２に対する電力系統１の接続箇所から見て下流側に向かって第２接続箇所Ｐ１と第１接続箇所Ｐ２とがその並び順で設けられている。図１では、交流線２の下流側に向かう電力を正の電力と見なす、即ち、電力系統１から第２接続箇所Ｐ１に向かう方向の電力を正の電力と見なし、第２接続箇所Ｐ１から第１接続箇所Ｐ２に向かう方向の電力を正の電力と見なす。
【００１０】
図３及び図４は、図１に示したような分散型電源システムの運用例を説明する図である。具体的には、電力負荷装置３に対して、電力系統１及び発電装置１０及び充放電装置２０からどれだけの電力が供給されるかを示す例である。図３及び図４の何れの場合も、電力負荷装置３ａの負荷電力は２００Ｗであり、電力負荷装置３ｂの負荷電力は１０００Ｗである。つまり、電力負荷装置３の負荷電力は合計で１２００Ｗである。
尚、図３及び図４の例において発電装置１０は、自身が運転中であれば、第１電圧線２ａ及び第２電圧線２ｂの合計の電力が逆潮流状態になっていなければ、第１電圧線２ａ及び第２電圧線２ｂの何れかが逆潮流状態になっていても、異常と判断しない。それに対して、発電装置１０は、自身が交流線２への出力停止中のとき、電力系統１側から第２接続箇所Ｐ１へ向かう電力について、第１電圧線２ａ及び第２電圧線２ｂの合計の電力が逆潮流状態になっていなくても、第１電圧線２ａ及び第２電圧線２ｂの何れかが逆潮流状態になっていれば、異常と判断する。
【００１１】
図３は、充放電装置２０が合計５００Ｗ（各電圧線２ａ，２ｂに２５０Ｗずつ）の電力を交流線２に出力する場合の例である。この場合、第１電圧線２ａを通って第２接続箇所Ｐ１側から第１接続箇所Ｐ２へ向かう電力は−５０Ｗになり、第２電圧線２ｂを通って第２接続箇所Ｐ１側から第１接続箇所Ｐ２へ向かう電力は７５０Ｗになる。つまり、第２接続箇所Ｐ１側から第１接続箇所Ｐ２へ向かう電力は合計で７００Ｗになる。
【００１２】
運転中の発電装置１０は、電力計測器１３の計測結果を参照して、電力系統１側から第２接続箇所Ｐ１へ向かう電力が好ましくは負の電力とはならず且つ出来るだけ小さい設定電力になるように（特に好ましくは、上記設定電力が零、即ち、電力系統１側から第２接続箇所Ｐ１へ向かう電力が零になるように）、発電装置１０から交流線２への提供電力を調節する。この場合、発電装置１０は合計７００Ｗ（各電圧線２ａ，２ｂに３５０Ｗずつ）の電力を交流線２に出力しているので、電力系統１側から第２接続箇所Ｐ１へ向かう電力は合計で０Ｗ（第１電圧線２ａで−４００Ｗ、第２電圧線２ｂで４００Ｗ）になり、その電力値は第１計測器１３ａ及び第２計測器１３ｂで計測される。
この場合、第１電圧線２ａでは４００Ｗの逆潮流になっているが、発電装置１０は、自身が運転中であるため、異常は発生していないと判断する。
【００１３】
図４は、充放電装置２０が合計５００Ｗ（各電圧線２ａ，２ｂに２５０Ｗずつ）の電力を交流線２に出力するが、発電装置１０は運転停止中（交流線２への出力停止中）である場合の例である。この場合も、第１電圧線２ａを通って第２接続箇所Ｐ１側から第１接続箇所Ｐ２へ向かう電力は−５０Ｗになり、第２電圧線２ｂを通って第２接続箇所Ｐ１側から第１接続箇所Ｐ２へ向かう電力は７５０Ｗになる。つまり、第２接続箇所Ｐ１側から第１接続箇所Ｐ２へ向かう電力は合計で７００Ｗになる。
【００１４】
尚、図４に示す例の場合、発電装置１０は運転停止中のため、電力系統１側から第２接続箇所Ｐ１へ向かう電力は合計で７００Ｗ（第１電圧線２ａで−５０Ｗ、第２電圧線２ｂで７５０Ｗ）になる。具体的には、第１計測器１３ａで計測される第１電圧線２ａでの電力値は−５０Ｗになり、第２計測器１３ｂで計測される第２電圧線２ｂでの電力値は７５０Ｗになる。そして、発電装置１０は、自身が運転停止中にも関わらず、第１電圧線２ａで逆潮流状態が発生しているため、異常と判断する。
【００１５】
以上のように、発電装置１０が分散型電源システムに含まれている場合、即ち、自身が停止中にも第１電圧線２ａ及び第２電圧線２ｂでの電力を計測し、それら第１電圧線２ａ及び第２電圧線２ｂの合計の電力が逆潮流状態になっていなくても、第１電圧線２ａ及び第２電圧線２ｂの何れかが逆潮流状態になっていれば異常と判断するような発電装置１０が分散型電源システムに含まれている場合、電力系統１との間の合計電力は逆潮流状態になっていないものの、第１電圧線２ａ及び第２電圧線２ｂの何れかが逆潮流状態になっていると、異常と判断されるという問題が発生し得る。
【００１６】
本発明は、上記の課題に鑑みてなされたものであり、その目的は、交流線の上流側に別の電源装置が接続されていても、その別の電源装置が、逆潮流状態が発生したと判定しないような分散型電源システムを提供する点にある。
【課題を解決するための手段】
【００１７】
上記目的を達成するための本発明に係る分散型電源システムの特徴構成は、電力系統に接続される、第１電圧線及び第２電圧線と中性線とを有する単相３線式の交流線と、
前記交流線に対して第１接続箇所で接続される第１電源装置と、
前記交流線の前記第１接続箇所に接続される電力負荷装置とを備える分散型電源システムであって、
前記交流線に対する前記電力系統の接続箇所から見て下流側に向かう電力を正の電力と見なすとき、
前記第１電源装置は、前記第１電圧線を通って前記交流線に対する前記電力系統の接続箇所側から前記第１接続箇所へ向かう電力、及び、前記第２電圧線を通って前記交流線に対する前記電力系統の接続箇所側から前記第１接続箇所へ向かう電力の両方が負の電力とはならないように、前記第１電圧線及び前記第２電圧線に対して電力を供給する点にある。
また、前記第１電源装置は、前記第１電圧線を通って前記交流線に対する前記電力系統の接続箇所側から前記第１接続箇所へ向かう電力及び前記第２電圧線を通って前記交流線に対する前記電力系統の接続箇所側から前記第１接続箇所へ向かう電力の両方が負の電力とはならないように、前記第１電圧線及び前記第２電圧線に対して同一の電力を供給してもよい。
【００１８】
上記特徴構成によれば、第１電源装置は、電力負荷装置で消費される以上の電力を第１電圧線及び第２電圧線に供給することはない。つまり、第１接続箇所よりも上流側（電力系統側）では、第１接続箇所から電力系統側に向かって電力が供給されることはない。そのため、交流線の上流側に別の電源装置が接続されていても、その別の電源装置が、自身の動作以外の要因で逆潮流状態の発生を検出することはなくなる。
従って、交流線の上流側に別の電源装置が接続されていても、その別の電源装置が、逆潮流状態が発生したと判定しないような分散型電源システムを提供できる。
【００１９】
本発明に係る分散型電源システムの更に別の特徴構成は、前記交流線に対して第２接続箇所で接続される第２電源装置を備え、
前記交流線に対する前記電力系統の接続箇所から見て下流側に向かって前記第２接続箇所と前記第１接続箇所とがその並び順で設けられており、
前記第２電源装置は、自身が前記交流線への出力停止中のとき、前記電力系統側から前記第２接続箇所へ向かう電力について、前記第１電圧線及び前記第２電圧線の何れかが逆潮流状態になっていれば異常と判断するように構成されている点にある。
【００２０】
上記特徴構成によれば、第１電源装置は、上述したように、第１電圧線を通って交流線に対する電力系統の接続箇所側から第１接続箇所へ向かう電力、及び、第２電圧線を通って交流線に対する電力系統の接続箇所側から第１接続箇所へ向かう電力の両方が負の電力とはならないように、第１電圧線及び第２電圧線に対して電力を供給する。そのため、第２電源装置が交流線への出力停止中であれば、電力系統側から第２接続箇所へ向かう電力について、第１電圧線及び第２電圧線の何れも逆潮流状態にはならない。その結果、第２電源装置が異常と判断することはない。
【００２１】
本発明に係る分散型電源システムの更に別の特徴構成は、前記第２電源装置は、前記交流線に接続され、発電部及び前記発電部の動作を制御する発電制御部を有し、
前記第１電源装置は、前記交流線に接続され、前記交流線との間での電力の充放電を行う充放電部及び前記充放電部の動作を制御する充放電制御部を有する点にある。
【００２２】
上記特徴構成によれば、第２電源装置は、第１電圧線及び第２電圧線への供給電力を、発電部が発電する電力によって調節でき、第１電源装置は、第１電圧線及び第２電圧線への供給電力を、充放電部が放電する電力によって調節できる。
【００２３】
本発明に係る分散型電源システムの更に別の特徴構成は、前記第１電源装置が前記交流線から受け取る受取電力として、前記第１電源装置による前記交流線からの充電電力を正の受取電力と見なし、前記第１電源装置による前記交流線への放電電力を負の受取電力と見なしたとき、
前記第２電源装置の前記発電制御部は、前記電力負荷装置が前記交流線から受け取る消費電力と前記第１電源装置が前記交流線から受け取る受取電力との和に見合った電力を前記第２電源装置から前記交流線に提供するように、所定の最小提供電力と最大提供電力との間の範囲内で前記第２電源装置から前記交流線への提供電力を制御し、
前記第１電源装置の前記充放電制御部は、前記電力負荷装置が前記交流線から受け取る消費電力と、前記第１電源装置が前記交流線から受け取る受取電力との和が所定の目標電力になるように、前記第１電源装置が前記交流線から受け取る受取電力を制御する点にある。
【００２４】
上記特徴構成によれば、第１電源装置の充放電制御部は、電力負荷装置が交流線から受け取る消費電力と、第１電源装置が交流線から受け取る受取電力との和が所定の目標電力になるように、第１電源装置が交流線から受け取る受取電力を制御する。その結果、第２電源装置の発電制御部は、その一定の目標電力に見合った電力を第２電源装置から交流線に提供するように、第２電源装置から交流線への提供電力を制御する。つまり、第２電源装置の発電部を好ましくは一定出力（＝目標電力）で運転させることができる。
【図面の簡単な説明】
【００２５】
【図１】分散型電源システムの構成を示す図である。
【図２】分散型電源システムの動作状態を例示する図である。
【図３】分散型電源システムの動作状態を例示する図である。
【図４】分散型電源システムの動作状態を例示する図である。
【発明を実施するための形態】
【００２６】
以下に図面を参照して本発明の実施形態に係る分散型電源システムについて説明する。
図１は分散型電源システムの構成を示す図である。図１に示すように、分散型電源システムは、電力系統１に接続される、第１電圧線２ａ及び第２電圧線２ｂと中性線２ｃとを有する単相３線式の交流線２と、交流線２に対して第１接続箇所Ｐ２で接続される第１電源装置としての充放電装置２０と、交流線２の第１接続箇所Ｐ２に接続される電力負荷装置３とを備える。加えて、図１に示す分散型電源システムは、第２電源装置としての発電装置１０も備える。発電装置１０は、交流線２に対して第２接続箇所Ｐ１で接続される。ここで、第２接続箇所Ｐ１と第１接続箇所Ｐ２とは、交流線２に対する電力系統１の接続箇所から見て下流側に向かってその並び順で設けられている。発電装置１０が交流線２に供給する電力及び充放電装置２０が交流線２に供給する電力の合計が電力負荷装置３の負荷電力に満たない場合、その不足電力は電力系統１からの受電電力によって賄われる。
【００２７】
本実施形態では、交流線２に対する電力系統１の接続箇所から見て下流側に向かう電力を正の電力と見なす、即ち、電力系統１から第２接続箇所Ｐ１に向かう方向の電力を正の電力と見なし、第２接続箇所Ｐ１から第１接続箇所Ｐ２に向かう方向の電力を正の電力と見なす。また、充放電装置２０が交流線２から受け取る受取電力として、充放電装置２０による交流線２からの充電電力を正の受取電力と見なし、充放電装置２０による交流線２への放電電力を負の受取電力と見なして説明を行う。
【００２８】
〔発電装置（第２電源装置）〕
発電装置１０は、交流線２に接続され、発電部１１及び発電部１１の動作を制御する発電制御部１２を有する。例えば、発電部１１は、固体酸化物形燃料電池（ＳＯＦＣ）や固体高分子形燃料電池（ＰＥＦＣ）などの燃料電池を有する。図示は省略するが、発電部１１は、発生した電力を、所望の電圧、周波数、位相の電力に変換して交流線２に出力するための電力変換部を有する。そして、発電制御部１２は、発電部１１の運転開始、運転停止、出力などを制御する。
【００２９】
発電制御部１２には、電力計測器１３で計測される電力についての情報が伝達される。電力計測器１３は、交流線２の途中の、第２接続箇所Ｐ１よりも上流側（電力系統１側）に設けられ、電力系統１側から第２接続箇所Ｐ１に向かう電力を計測する。電力計測器１３は、第１電圧線２ａに設けられる第１計測器１３ａと、第２電圧線２ｂに設けられる第２計測器１３ｂとで構成される。電力計測器１３としての第１計測器１３ａ及び第２計測器１３ｂは、例えば交流線２における電力の電流値を検出するために用いられるカレントトランス（計器用変流器）を用いて構成され、所定の電圧値（例えば１００Ｖ、２００Ｖ等）との積から、交流線２での電力値を導出できる。尚、電力計測器１３は交流線２での電力の電流値のみを発電制御部１２に伝達し、発電制御部１２が電力値の導出を行ってもよい。
【００３０】
電力計測器１３が計測する電力は、電力負荷装置３が交流線２から受け取る負荷電力と、充放電装置２０が交流線２から受け取る受取電力との和から、発電装置１０から交流線２への提供電力を減算した値に対応する。
【００３１】
発電装置１０の発電制御部１２は、電力計測器１３の計測結果を参照して、電力負荷装置３が交流線２から受け取る負荷電力と充放電装置２０が交流線２から受け取る受取電力との和に見合った電力を発電装置１０から交流線２に提供するように、所定の最小提供電力と最大提供電力との間の範囲内で、発電装置１０から交流線２への提供電力を制御する。例えば、発電装置１０は、電力系統１側から第２接続箇所Ｐ１へ向かう電力が好ましくは負の電力とはならず且つ出来るだけ小さい設定電力になるように（特に好ましくは、上記設定電力が零、即ち、電力系統１側から第２接続箇所Ｐ１へ向かう電力が零になるように）、発電装置１０から交流線２への提供電力を調節する。
【００３２】
また、発電装置１０は、自身が交流線２への出力停止中のとき、電力計測器１３の計測結果を参照して、電力系統１側から第２接続箇所Ｐ１へ向かう電力について、第１電圧線２ａ及び第２電圧線２ｂの何れかが逆潮流状態になっていれば異常と判断する。これは、例えば、電力計測器１３の取り付けの誤りにより、計測した電力の正負に誤りが発生しているといった異常が発生したと判断するためである。
【００３３】
〔充放電装置（第１電源装置）〕
充放電装置２０は、交流線２との間での電力の充放電を行う充放電部２１及び充放電部２１の動作を制御する充放電制御部２２を有する。充放電部２１は、例えばリチウムイオン電池等の二次電池などの蓄電池を有する。図示は省略するが、発電部１１は電力変換部などを介して交流線２に接続される。その結果、充放電部２１では、電力を、所望の電圧、周波数、位相の電力に変換して交流線２に出力できる。充放電制御部２２は、電力変換部の動作を制御して、充放電部２１から交流線２への出力電力（放電電力）の制御と、交流線２から充放電部２１への入力電力（充電電力）の制御とを行う。
【００３４】
充放電制御部２２には、電力計測器２３で計測される電力についての情報が伝達される。電力計測器２３は、交流線２の途中の、第２接続箇所Ｐ１と第１接続箇所Ｐ２との間に設けられ、交流線２に対する電力系統１の接続箇所側から第１接続箇所Ｐ２へ向かう電力、特に、第２接続箇所Ｐ１から第１接続箇所Ｐ２に向かう電力を計測する。電力計測器２３は、第１電圧線２ａに設けられる第１計測器２３ａと、第２電圧線２ｂに設けられる第２計測器２３ｂとで構成される。つまり、電力計測器２３が計測する電力は、電力負荷装置３が交流線２から受け取る負荷電力と、充放電装置２０が交流線２から受け取る受取電力との和に対応する。電力計測器２３は、例えば交流線２における電力の電流値を検出するために用いられるカレントトランス（計器用変流器）を用いて構成され、所定の電圧値（例えば１００Ｖ、２００Ｖ等）との積から、交流線２での電力値を導出できる。尚、電力計測器２３は交流線２での電力の電流値のみを充放電制御部２２に伝達し、充放電制御部２２が電力値の導出を行ってもよい。
【００３５】
そして、充放電制御部２２は、電力計測器２３の計測結果を参照して、充放電装置２０が交流線２から受け取る受取電力（交流線２からの充電電力又は交流線２への放電電力）を制御する。例えば、充放電制御部２２は、電力負荷装置３が交流線２から受け取る負荷電力と充放電装置２０が交流線２から受け取る受取電力との和が所定の目標電力に近付くように、充放電装置２０が交流線２から受け取る受取電力を制御する。この目標電力は、例えば発電装置１０の最大提供電力（例えば７００Ｗ）に等しい値に設定されている。
【００３６】
充放電装置２０がこのような制御を行うことで、発電装置１０の発電制御部１２は、その目標電力に見合った電力を発電装置１０から交流線２に提供するように、発電装置１０から交流線２への提供電力を制御する。つまり、発電装置１０を好ましくは一定出力（＝目標電力）で運転させることができる。
【００３７】
図２は分散型電源システムの動作状態を例示する図である。具体的には、電力負荷装置３に対して、電力系統１及び発電装置１０及び充放電装置２０からどれだけの電力が供給されるかを示す例である。この例では、電力負荷装置３ａの負荷電力は２００Ｗであり、電力負荷装置３ｂの負荷電力は１０００Ｗである。つまり、電力負荷装置３の負荷電力は合計で１２００Ｗである。
尚、図２の例において発電装置１０は、自身が運転中であれば、電力計測器１３で計測される電力値を参照して、電力系統１側から第２接続箇所Ｐ１へ向かう電力について、第１電圧線２ａ及び第２電圧線２ｂの合計の電力が逆潮流状態になっていなければ、第１電圧線２ａ及び第２電圧線２ｂの何れかが逆潮流状態になっていても、異常と判断しない。それに対して、発電装置１０は、自身が交流線２への出力停止中のとき、電力系統１側から第２接続箇所Ｐ１へ向かう電力について、第１電圧線２ａ及び第２電圧線２ｂの合計の電力が逆潮流状態になっていなくても、第１電圧線２ａ及び第２電圧線２ｂの何れかが逆潮流状態になっていれば、異常と判断する。
【００３８】
充放電装置２０は、第１電圧線２ａを通って交流線２に対する電力系統１の接続箇所側から第１接続箇所Ｐ２へ向かう電力（特に、第２接続箇所Ｐ１側から第１接続箇所Ｐ２へ向かう電力）、及び、第２電圧線２ｂを通って交流線２に対する電力系統１の接続箇所側から第１接続箇所Ｐ２へ向かう電力（特に、第２接続箇所Ｐ１側から第１接続箇所Ｐ２へ向かう電力）の両方が負の電力とはならないように、第１電圧線２ａ及び第２電圧線２ｂに対して電力を供給する。つまり、第１電圧線２ａに接続された電力負荷装置３ａの負荷電力は２００Ｗであり、第２電圧線２ｂに接続された電力負荷装置３ｂの負荷電力は１０００Ｗであるので、第１電圧線２ａを通って第２接続箇所Ｐ１側から第１接続箇所Ｐ２へ向かう電力及び第２電圧線２ｂを通って第２接続箇所Ｐ１側から第１接続箇所Ｐ２へ向かう電力の両方が負の電力とはならないためには、充放電装置２０は第１電圧線２ａ及び第２電圧線２ｂに２００Ｗずつの電力（合計で４００Ｗの電力）を出力すればよい。このように、本実施形態では、充放電装置２０は、第１電圧線２ａ及び第２電圧線２ｂに対して同一の電力を供給している。
【００３９】
その結果、図２に示す例の場合、第１電圧線２ａを通って第２接続箇所Ｐ１側から第１接続箇所Ｐ２へ向かう電力は０Ｗになり、第２電圧線２ｂを通って第２接続箇所Ｐ１側から第１接続箇所Ｐ２へ向かう電力は８００Ｗになる。つまり、第２接続箇所Ｐ１側から第１接続箇所Ｐ２へ向かう電力は合計で８００Ｗになる。そして、電力負荷装置３が交流線２から受け取る負荷電力と充放電装置２０が交流線２から受け取る受取電力との和は、所定の目標電力（例えば７００Ｗ）に近付く。
【００４０】
尚、図２に示す例では、発電装置１０は運転停止中（交流線２への出力停止中）のため、発電装置１０から交流線２への電力供給は行われていないが、発電装置１０は、自身の運転停止中にも第１電圧線２ａ及び第２電圧線２ｂでの電力を計測し、第１電圧線２ａ及び第２電圧線２ｂの何れかが逆潮流状態になっていれば異常と判断する。
【００４１】
そして、第２接続箇所Ｐ１側から第１接続箇所Ｐ２へ向かう電力の合計である８００Ｗは、電力系統１からの受電電力で賄われる。つまり、発電装置１０が監視対象としている、第１電圧線２ａを通って電力系統１から第２接続箇所Ｐ１へ向かう電力、即ち、第１計測器１３ａが測定する電力は０Ｗになり、発電装置１０が監視対象としている、第２電圧線２ｂを通って電力系統１側から第２接続箇所Ｐ１へ向かう電力、即ち、第２計測器１３ｂが測定する電力は８００Ｗになる。従って、発電装置１０が監視対象としている、第１電圧線２ａを通って電力系統１から第２接続箇所Ｐ１へ向かう電力、及び、第２電圧線２ｂを通って電力系統１側から第２接続箇所Ｐ１へ向かう電力の両方とも逆潮流状態になっていない。そのため、発電装置１０が、逆潮流状態が発生していると判断することはない。
【００４２】
以上のように、本実施形態の分散型電源システムでは、充放電装置２０は、電力負荷装置３で消費される以上の電力を第１電圧線２ａ及び第２電圧線２ｂに供給することはない。つまり、第１接続箇所Ｐ２よりも上流側（電力系統１側）では、第１接続箇所Ｐ２から第２接続箇所Ｐ１側に向かって電力が供給されることはない。そのため、発電装置１０は、自身の動作以外の要因で逆潮流状態の発生を検出することはなくなる。従って、交流線２の上流側に接続された発電装置１０が、逆潮流状態が発生したと判定しないような分散型電源システムを提供できる。
【００４３】
＜別実施形態＞
＜１＞
上記実施形態では、本発明の分散型電源システムの構成について具体例を挙げて説明したが、その構成は適宜変更可能である。
例えば、上記実施形態では、第２電源装置として発電装置を採用し、第１電源装置として充放電装置を採用した例を説明したが、第２電源装置として充放電装置を採用し、第１電源装置として発電装置を採用してもよい。
また、発電装置（第２電源装置）１０や充放電装置（第１電源装置）２０の構成は図示したものに限定されず適宜変更可能である。例えば、上記実施形態では、発電装置１０が備える発電部１１の例として燃料電池を挙げたが、所定の最小提供電力と最大提供電力との間の範囲内で出力を自在に調節できる他の様々な発電部１１を用いることができる。例えば、エンジンとそのエンジンによって駆動される発電機とを備えて構成されるタイプの発電部１１などを用いることできる。
【００４４】
＜２＞
上記実施形態では、発電装置（第２電源装置）１０及び充放電装置（第１電源装置）２０のそれぞれが、第１電圧線２ａ及び第２電圧線２ｂに対して同一の電力を供給する例を説明したが、第１電圧線２ａ及び第２電圧線２ｂに対して異なる電力を供給してもよい。例えば、第１電圧線２ａに対して供給する電力を調節する電力変換部と、第２電圧線２ｂに対して供給する電力を調節する電力変換部とを各別に備えていれば、第１電圧線２ａ及び第２電圧線２ｂに対して異なる電力を供給できる。
【００４５】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００４６】
本発明は、交流線の上流側に別の電源装置が接続されていても、その別の電源装置が、逆潮流状態が発生したと判定しないような分散型電源システムに利用できる。
【符号の説明】
【００４７】
１  電力系統
２  交流線
２ａ  第１電圧線
２ｂ  第２電圧線
３  電力負荷装置
１０  発電装置（第２電源装置）
１１  発電部
１２  発電制御部
１３  電力計測器
２０  充放電装置（第１電源装置）
２１  充放電部
２２  充放電制御部
Ｐ１  第２接続箇所
Ｐ２  第１接続箇所
【図１】
2019092332.tif 000003
【図２】
2019092332.tif 000004
【図３】
2019092332.tif 000005
【図４】
2019092332.tif 000006